(57)【要約】【課題】肩ベルトを斜め掛けする肩の左右を容易に替えることができる横抱き用の子守帯を提供すること。【解決手段】装着者の正面側で乳児を寝かせて載置するキャリア本体２０と、装着者の肩に斜め掛けされ、キャリア本体２０を支持するための肩ベルト３０と、装着者の腰回りに巻いて装着される腰ベルト４０と、を備え、腰ベルト４０は、装着状態における装着者の腹側において、キャリア本体２０に固定された固定領域４０Ｃを有すると共に、固定領域４０Ｃを間に挟んだ左右に肩ベルト４０と着脱自在に連結されるベルト連結手段５０，５１を有し、肩ベルト３０は、装着した際、一方の端部３０Ａがベルト連結手段５０，５１のいずれかに連結され、他方の端部３０Ｂがキャリア本体２０の腰ベルト４０側とは反対の外側２０Ｄに固定されている。【選択図】図４
2016002370.tif 000002
【特許請求の範囲】
【請求項１】
装着者の正面側で乳児を寝かせて載置するキャリア本体と、
前記装着者の肩に斜め掛けされ、前記キャリア本体を支持するための肩ベルトと、
前記装着者の腰回りに巻いて装着される腰ベルトと、
を備え、
前記腰ベルトは、装着状態における前記装着者の腹側において、前記キャリア本体に固定された固定領域を有すると共に、前記固定領域を間に挟んだ左右に前記肩ベルトと着脱自在に連結されるベルト連結手段を有し、
前記肩ベルトは、装着した際、一方の端部が前記ベルト連結手段に連結され、他方の端部が前記キャリア本体の前記腰ベルト側とは反対の外側に固定されている
ことを特徴とする横抱き用子守帯。
【請求項２】
前記キャリア本体及び／又は前記腰ベルトの前記固定領域付近に、おくるみを着脱可能な着脱手段が設けられていることを特徴とする請求項１に記載の横抱き用子守帯。
【請求項３】
前記キャリア本体は、乳児が載置される乳児載置領域と、この乳児載置領域から前記外側に向かって延伸した延長部とを有し、
前記延長部は、前記外側を頂点とし、かつ、前記乳児載置領域との境界線を底辺とした略三角形状である
ことを特徴とする請求項１又は２に記載の横抱き用子守帯。
【請求項４】
前記腰ベルトと前記キャリア本体とは着脱可能であることを特徴とする請求項１乃至３のいずれかに記載の横抱き用子守帯。
【発明の詳細な説明】
【技術分野】
【０００１】
本発明は、横抱き用子守帯に関する。
【背景技術】
【０００２】
従来から、乳幼児を抱っこする手段として子守帯がよく用いられているが、生後間もない乳児については未だ首がすわっていないため、子守帯は、乳児を寝かした状態、所謂横抱き状態で保持するようになっている。
例えば特許文献１の子守帯では、その図３に示すように、寝かせた乳児を保持するキャリア本体１０と、装着者の肩に斜め掛けされるショルダーベルト５０と、キャリア本体１０を装着者に引き寄せた状態に保持するための腰ベルト６０とを有している。
キャリア本体１０は、図１及び図２に示すように、幅方向の左右それぞれについて、頭部側及び胴部側にループ２１ａ，２１ｂを有している。そして、このループ２１ａ，２１ｂに腰ベルト６０の両端部が取付けられる。なお、腰ベルト６０は２本からなっており、互いを着脱可能に接続するためのバックル６２ａ，６２ｂを有している。
ショルダーベルト５０は、キャリア本体１０の頭部側の幅方向両端から延伸しており、その端部は股当て部１４に設けられたバックル５２ｂに着脱可能に接続される。
【０００３】
このような子守帯は次のようにして装着される。
先ず、キャリア本体１０の左右どちらかのループ２１ａ，２１ｂに腰ベルト６０を取付け、バックル６２ａ，６２ｂは分離しておく。また、ショルダーベルト５０の端部もキャリア本体１０のバックル５２ｂから分離しておく。そして、キャリア本体１０に乳児を載せてから、キャリア本体１０を装着者の正面側に位置させるとともに、左右のショルダーベルト５０を片方の肩に斜め掛けして、ショルダーベルト５０の端部を股当て部１４のバックル５２ｂに連結する。さらに、腰ベルト４０を装着者の腰に回し、その先端のバックル６２ａ，６２ｂを相互に連結して、腰回りに装着する。
【先行技術文献】
【特許文献】
【０００４】
【特許文献１】特開２００１−２０４５９２号公報
【発明の概要】
【発明が解決しようとする課題】
【０００５】
ところで、母親等の装着者の利き腕の問題や、装着者の疲れを軽減する等の理由から、肩ベルトを斜め掛けする肩の左右を替えることがある。このような肩の左右を替えるためには、特許文献１では、腰ベルト６０のバックル６２ａ，６２ｂを外した上で、腰ベルト６０をキャリア本体１０のループ２１ａ，２１ｂから取り外し、その後、キャリア本体１０の幅方向の反対側にあるループ２１ａ，２１ｂに取付け直しから、同様の装着ステップを踏んでいく必要があり、肩ベルトの斜め掛けする肩の左右の変えることは決して容易ではない。
本発明は以上の課題を解決するものであり、肩ベルトを斜め掛けする肩の左右を容易に替えることができる横抱き用の子守帯を提供することを目的とする。
【課題を解決するための手段】
【０００６】
上記課題は、装着者の正面側で乳児を寝かせて載置するキャリア本体と、前記装着者の肩に斜め掛けされ、前記キャリア本体を支持するための肩ベルトと、前記装着者の腰回りに巻いて装着される腰ベルトと、を備え、前記腰ベルトは、装着状態における前記装着者の腹側において、前記キャリア本体に固定された固定領域を有すると共に、前記固定領域を間に挟んだ左右に前記肩ベルトと着脱自在に連結されるベルト連結手段を有し、前記肩ベルトは、装着した際、一方の端部が前記ベルト連結手段に連結され、他方の端部が前記キャリア本体の前記腰ベルト側とは反対の外側に固定されている横抱き用子守帯により解決される。
【０００７】
上記構成の子守帯によれば、装着者の正面側で乳児を寝かせて載置するキャリア本体と、装着者の肩に斜め掛けする肩ベルトと、装着者の腰回りに巻いて装着される腰ベルトとを備え、腰ベルトは、装着状態における装着者の腹側において、キャリア本体に固定された固定領域を有すると共に、肩ベルトと着脱自在に連結されるベルト連結手段を有する。そして、肩ベルトは、装着した際、一方の端部がベルト連結手段に連結され、他方の端部がキャリア本体の腰ベルト側とは反対の外側に固定されている。
そうすると、腰ベルトは、装着状態における装着者の腹側に、キャリア本体に固定された固定領域を有するため、腰ベルトを装着者の腰回りに巻いて装着すれば、キャリア本体を装着者側に密着させて、装着者側は腰ベルトでしっかりと支持できる。
そして、このように装着者側が支持されたキャリア本体には、肩ベルトの他方の端部が固定されており、腰ベルトを腰回りに巻いた状態で、肩ベルトを左右の肩のいずれかの上を通って、その一方の端部を腰ベルトの連結手段に連結すれば、肩ベルトはループ状になって肩に斜め掛けされ、キャリア本体における腰ベルト側（装着者側）と反対の外側も支持される。
ここで、腰ベルトは、肩ベルトの一方の端部と連結されるベルト連結手段を、固定領域を間に挟んだ左右（好ましくは、固定領域の近傍）に有している。従って、肩ベルトを斜め掛けする肩の左右を変える場合、肩ベルトの一方の端部をベルト連結手段から外し、この外した一方の端部をもう片方のベルト連結手段に付け替えるだけでよい。なお、ベルト連結手段は装着者の腹側にあるため、肩ベルトの一方の端部の付け替え作業は比較的容易であり、例えば、乳児を横抱きしながらも可能である。例えば、片手でキャリア本体を支持しながら、斜め掛けする肩の左右を替え、そして、肩ベルトの一方の端部をベルト連結手段から外し、その外した一方の端部をもう片方のベルト連結手段に付け替えればよい。
【０００８】
また、好ましくは、前記キャリア本体及び／又は前記腰ベルトの前記固定領域付近に、おくるみを着脱可能な着脱手段が設けられていることを特徴とする。
従って、この着脱手段により、寝かせた乳児の上に掛けたおくるみを落下しないように保持することができる。
さらに、この着脱手段は、腰ベルトで位置が定まっており、かつ、装着者の手元近くの固定領域付近に配置されているため、おくるみを着脱し易く、おくるみを着脱している最中の乳児の落下を有効に防止できる。
なお、「おくるみ」は乳児に掛けて身体を保護する布・織物などであり、ブランケットは勿論、タオルや紙なども含まれる。
【０００９】
また、好ましくは、前記キャリア本体は、乳児が載置される乳児載置領域と、この乳児載置領域から前記外側に向かって延伸した延長部とを有し、前記延長部は、前記外側を頂点とし、かつ、前記乳児載置領域との境界線を底辺とした略三角形状であることを特徴とする。
そうすると、キャリア本体は、乳児載置領域から肩ベルトの他方の端部が固定された外側に向かって延伸した延長部を有するため、乳児載置領域は延長部を介して肩ベルトで支持される。そして、延長部は外側を頂点とし、乳児載置領域との境界線を底辺とした略三角形状であるため、肩ベルトでバランスよく乳児載置領域を吊ることができる。
【００１０】
また、好ましくは、前記腰ベルトと前記キャリア本体とは着脱可能であることを特徴とする。
従って、腰ベルトと前記キャリア本体とを分離させることができるため、腰ベルトを外さずに、あやした後にキャリア本体の上で寝た乳児をそのまま静かに置くことができる。また、乳児がキャリア本体におもらしした際、キャリア本体のみを洗濯することもできる。また、別のキャリア本体を腰ベルトに付け使用することもできるため、例えば、今まで付けていたキャリア本体を洗濯している最中に子守帯を使用したり、柄の違うキャリア本体を付けて楽しんだりすることもできる。また、持ち運びに便利な形状を作り易くすることもできる。
【発明の効果】
【００１１】
以上より、本発明によれば、肩ベルトを斜め掛けする肩の左右を容易に替えることができる横抱き用の子守帯を提供することができる。
【図面の簡単な説明】
【００１２】
【図１】本発明の実施形態に係る子守帯を展開した正面図。
【図２】図１の子守帯を展開した背面図。
【図３】図２の着脱手段の部分拡大図。
【図４】図２の子守帯の各ベルト等を連結・接続して背面側から視認した斜視図。
【図５】図１の子守帯の使用状態図。
【図６】図５を装着者の背面側から視認した使用状態図。
【図７】本発明の実施形態の変形例に係る子守帯の正面図。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
本実施形態に係る子守帯は、目安として、新生児（０か月頃）から首がすわるまでの４か月頃までの乳児に使用されるものであり、寝かせた状態の乳児の姿勢を装着者の正面側で保持して抱っこをする（所謂、横抱きする）ための横抱き専用の子守帯である。
特に、本実施形態の子守帯は、乳児をあやす等のスキンシップを取る際に好適に使用されるものであり、装着者に直接的に抱かれている感覚を乳児に対して与えるように横抱きできるようにしている。
【００１４】
図１〜図６は本発明の実施形態に係る子守帯１０である。
なお、図１及び図２では各ベルトを連結ないし接続せずに展開した状態を、図４では各ベルトを連結ないし接続した状態を図示している。また、図４では図２に示す網目模様を省略して図示している。また、図６は装着者を省略して図示している。
これらの図の子守帯１０は、使用状態である図５及び図６に示すように、装着者ＭＡの正面側で乳児ＢＹを寝かせて載置する「キャリア本体２０」と、装着者ＭＡの肩に斜め掛けされ、キャリア本体２０を支持するための「肩ベルト３０」と、装着者ＭＡの腰回りに巻いて装着される「腰ベルト４０」とを有している。
【００１５】
〔キャリア本体について〕
図５及び図６に示すキャリア本体２０は、乳児ＢＹを装着者ＭＡの左右方向Ｘに沿って寝かせることができる大きさを有している。そして、キャリア本体２０は、乳児ＢＹを載置した載置面（図２に示す面）２０Ａと反対側の面である外面（図１で示す面）２０Ｂを手ＨＤ１，ＨＤ２で触った際、キャリア本体２０を介して、乳児ＢＹの体形が装着者ＭＡに分かる程に可撓性を有している。
具体的には、キャリア本体２０には硬度の高い芯材が配設されておらず、外面２０Ｂ及び載置面２０Ａは双方ともに可撓性部材で形成されている。本実施形態の場合、外面２０Ｂは布地であり、載置面２０Ａは多数の空隙１７を有する三次元構造体（例えば、樹脂製の糸を網目構造に編成して形成された表編地と裏編地とを連結糸でつないで立体編物にしたもの）である。これにより、キャリア本体２０は、可撓性を有しながらも、耐久性、通気性、体圧分散性を発揮することができる。なお、本発明のキャリア本体２０はこのような構成に限られず、例えば、載置面２０Ａを外面２０Ｂと同じ布地にしてもよいし、或いは一枚の布地であってもよい。
【００１６】
キャリア本体２０は、その上に寝た乳児ＢＹの幅方向Ｙにおける一方の端部２０Ｃの全長部が腰ベルト４０と固定され、他方の端部２０Ｄが肩ベルト３０と固定されている。なお、図の場合のキャリア本体２０と腰ベルト４０、及びキャリア本体２０と肩ベルト３０とは、それぞれ一体的に形成され、分離不可能に固定されている。
このようなキャリア本体２０は、乳児ＢＹが載置される乳児載置領域２１と、この乳児載置領域２１から他方の端部２０Ｄ側に向かって延伸した延長部２２とを有している。
【００１７】
乳児載置領域２１は、図１及び図２に示すように、正対視が略四角形状であり、載置された乳児の身長方向（装着者の左右方向）Ｘの寸法Ｘ１が、図５に示すように少なくとも乳児ＢＹの膝より先は載置されない長さとされ、図の場合、概ね後頭部から脚の付け根にかけて載置される長さとされている。また、図１に示す乳児載置領域２１については、載置された乳児の幅方向Ｙの寸法Ｙ１が寸法Ｘ１と同様であり、略正方形状とされている。
このような乳児載置領域２１は、皺等を延ばして展開した図１及び図２の状態では、全体的に平坦なシート状であるが、上述のように高い可撓性を有するため、図５及び図６に示すように、使用状態では乳児ＢＹの少なくとも胴部の両側面と背面を包むように覆うことができる。これにより、硬い部分の存在を極力なくし、乳児ＢＹと素肌でスキンシップしているかのような状態にすることができる。
【００１８】
図１及び図２に示す延長部２２は、肩ベルト３０と乳児載置領域２１とを繋ぐための連結部分であり、かつ、乳児の落下を防止するための部分である。
図の延長部２２は、乳児載置領域２１と容易に分離しないように、乳児載置領域２１と一体的に形成され、乳児載置領域２１の他方の端部２０Ｄ側の一辺（図１の破線で示す部分）２１ａの全長の部分（即ち、寝た乳児の身長方向に沿った全長部）から他方の端部２０Ｄ側に向かって延伸して形成されている。
この延長部２２は、正対視した場合、他方の端部２０Ｄ側（即ち、図５及び図６の装着状態におけるキャリア本体２０の腰ベルト４０側とは反対の外側）を頂点とし、かつ、乳児載置領域２１側の一辺（即ち、延長部２２と乳児載置領域２１との境界線）２１ａを底辺とした略三角形状、好ましくは二等辺三角形状とされている。これにより、図５及び図６に示すように、一本の肩ベルト３０であっても、バランスよく乳児載置領域２１を吊ることができる。また、装着者ＭＡ及び乳児ＢＹの互いの顔を視認し易くできる。
なお、本実施形態の延長部２２と乳児載置領域２１とは一体的に形成されているが、本発明はこれに限られず、別々に形成して、それらを接続してもよい。
【００１９】
〔腰ベルトについて〕
腰ベルト４０は、装着者の腹側にキャリア本体２０を引き寄せると共に、キャリア本体２０を支持するベルトである。
腰ベルト４０は、図４に示すように環状になって、それ自体で装着者の腰回りに巻き付いて落ちない構成とすることができる。具体的には、腰ベルト４０は、図１及び図２に示すように全体が帯状であって、装着者の腰回りに巻くことができる長さを有している。そして、腰ベルト４０の両端部４０Ａ，４０Ｂどうしがバックル４２により着脱可能とされると共に、長さの調整が可能とされている。
【００２０】
この腰ベルト４０は、その帯状の幅方向（図１のＹ方向）について、相対的に、幅の広い幅広部４３と、幅の狭い幅狭部４４とを有している。
幅広部４３は、装着者の正面側であって左右の腰骨の間に配置される。この幅広部４３の外面（図１に示す面）と装着者に当接される内面（図２に示す面）の材料はキャリア本体２０と同様であるが、その間にクッション材２９が収容されている。これにより、幅広部４３は、装着者にかかる負担を軽減できると共に、少なくともキャリア本体２０に比べて低い可撓性となり、撚れ難い構造とすることができる。クッション材２９には、例えば、ＳＢＲ（スチレンブタジエンラバー）、ＥＶＡ（エチレン酢酸ビニル）、ウレタンフォーム（低反発もしくは高反発）を用いることができる。
【００２１】
このような幅広部４３は、主に下腹部に当接される下腹部分４３ａの幅寸法Ｙ２が最も大きく、その左右の脇側部分４３ｂ，４３ｂの幅寸法Ｙ３は、両端部４０Ａ，４０Ｂに向かうに従って除々に小さくなっており、図の場合は台形状である。
脇側部分４３ｂ，４３ｂは、好ましくは、装着した際、左右の腰骨の部分（腸骨の出ている部分）に配置可能とされ、そこにクッション材２９は配設されていない。従って、脇側部分４３ｂ，４３ｂは、下腹部分４３ａに比べて高い可撓性を有し、腰骨に係止されて、腰ベルト４０の位置ずれを有効に防止できる。
なお、脇側部分４３ｂ，４３ｂのいずれか一方の外面（装着者に当接される内面と反対側の面）には、幅狭部４４に設けられた雄バックル４２ｂが連結可能な雌バックル４２ａが設けられている。
【００２２】
幅狭部４４には、例えば、ポリエステルからなる糸材を織ってテープ状にしたシートベルト素材などが利用され、高い強度と可撓性を有している。図１に示すように、幅狭部４４は、一方の端部４４ａが雌バックル４２ａのない方の脇側部分４３ｂに縫合され、他方の端部（腰ベルト４０の端部と同じ）４０Ａに雄バックル４２ｂが設けられている。
この雄バックル４２ｂにより幅狭部４４の長さが調整できる。
そして、幅狭部４４は、雌バックル４２ａ側と反対側の装着者の脇を通って背面に回されから、脇側部分４３ｂの腰骨より若干脇側にある雌バックル４２ａに連結される。
【００２３】
このような特徴を有する腰ベルト４０については、装着状態における装着者の腹側において、キャリア本体２０に固定された固定領域４０Ｃを有している。
本実施形態の場合、腰ベルト４０とキャリア本体２０とは一体的に形成され、固定領域４０Ｃにおける腰ベルト４０とキャリア本体２０とは分離不可能に固定されている。
具体的には、キャリア本体２０は、腰ベルト４０のクッション材２９が配設された下腹部分４３ａの全長部分から延伸して形成され、固定領域４０Ｃは下腹部分４３ａの上部の全長にわたって存在することとなる。
【００２４】
腰ベルト４０は以上のように構成され、装着者の腰回りに巻いて長さを調整して、腰回りに密着させれば、図５及び図６に示すように、キャリア本体２０を装着者の腹側に引き寄せると共に、固定領域４０Ｃの部分でキャリア本体２０を支持できる。そして、このキャリア本体２０を支持する固定領域４０Ｃは腰ベルト４０の下腹部分４３ａにあり、この下腹部分４３ａにはクッション材が配設されて、撚れ等の恐れが少ないため、キャリア本体２０はしっかり支持される。
【００２５】
〔肩ベルトについて〕
肩ベルト３０は、装着者の肩に斜め掛けされて、キャリア本体２０を支持するベルトである。
この肩ベルト３０の特徴的な点の一つは、図４及び図６に示すように、一方の端部３０Ａが腰ベルト４０に着脱可能に連結され、他方の端部３０Ｂがキャリア本体２０の外側（図５及び図６に示す使用状態において、腰ベルト４０とは反対の側）に固定されているところである。
【００２６】
具体的には、肩ベルト３０は、装着者ＭＡの肩に掛けられる第１の肩帯部３２と、この第１の肩帯部３２に接続された第２の肩帯部３３とを有している。
第１の肩帯部３２は、装着者の肩に当接される部分を有し、腰ベルト４０の下腹部分４３ａと同様、内側にクッション材が収容され、所定のクッション性を有している。この第１の肩帯部３２は、キャリア本体２０が延伸して形成されており、キャリア本体２０と一体的である。
第２の肩帯部３３は、装着者の背中を通って、その先端部が腰ベルト４０に着脱自在に連結される。第２の肩帯部３３には、ポリエステルからなる糸材を織ってテープ状にしたシートベルト素材などを利用できる。
【００２７】
〔肩ベルトと腰ベルトの連結構造〕
ここで、腰ベルト４０は、図４及び図６に示すように、装着状態において、固定領域４０Ｃを間に挟んだ左右（腰回り方向の両側）に、肩ベルト３０の一方の端部３０Ａと着脱自在に連結されるベルト連結手段５０，５１を有している。
本実施形態のベルト連結手段５０，５１は、下腹部分４３ａの左右の脇側部分４３ｂ，４３ｂに配置され、好ましくは、固定領域４０Ｃの近傍であって、腰骨周辺の上に配置されるようにしている。なお、図の場合のベルト連結手段５０，５１はバックルであり、このバックルは、図１に示すように、左右の脇側部分４３ｂ，４３ｂの夫々に設けられたテープ状部３７の自由端に接続され、脇側部分４３ｂ，４３ｂの上端部付近に配置されている。
【００２８】
これにより、装着者は、肩ベルト３０の一方の端部３０Ａを、左右のベルト連結手段５０，５１のいずれにも着脱自在に連結することができる。従って、例えば、図５に示すように、装着者の左肩ＬＳに斜め掛けした状態から、一点鎖線で示すように、右肩ＲＳに斜め掛けするには、図４及び図６に示すように、右側のベルト連結手段５１から肩ベルト３０の一方の端部３０Ａを外して、それを左側のベルト連結手段５０に連結させればよい。
そして、下腹部分４３ａの左右にある脇側部分４３ｂ，４３ｂは装着者が手を動かし易い領域であり、この領域にベルト連結手段５０を配置することで、装着者は一方の端部３０Ａをベルト連結手段５０，５１に容易に着脱できる。
また、ベルト連結手段５０，５１が接続された脇側部分４３ｂ，４３ｂは腰骨周辺に配置され、そこは腰骨に係止されて位置ずれし難い部分であるため、連結された一方の端部３０Ａをしっかりと位置決めできる。
【００２９】
〔その他の特徴〕
図４に示すように、本実施形態の子守帯１０は、キャリア本体２０及び／又は腰ベルト４０の固定領域付近４０Ｃに、おくるみを着脱可能な着脱手段６０が設けられている。
すなわち、子守帯１０には、その付属品として専用のブランケット・タオル地等のおくるみＢＫが用意されており、乳児を寒さ等から保護する場合、おくるみＢＫを着脱手段６０に接続して使用できるようになっている。
【００３０】
図４に示す着脱手段６０は、寝た乳児の身長方向Ｘに沿ったファスナーである。ファスナーは周知のものを利用でき、着脱手段６０の務歯６３に対しておくるみＢＫの務歯６４を合わせ、スライダー６２を移動させて、務歯６３，６４どうしを噛み合わせて、固定領域付近４０ＣにおくるみＢＫを接続させている。
そして、スキンシップを重視して子守帯１０が全体的に高い可撓性を有している中、このように着脱手段６０がファスナーであっても、着脱手段６０は子守帯１００の中でも相対的に可撓性の低い腰ベルト４０の下腹部分４３ａの周辺にあって撚れ難いため、装着者は容易にスライダー６２を移動させて、おくるみＢＫを連結できる。また、着脱手段６０が下腹部分４３ａの周辺にあれば、位置的に、装着者は容易に手を伸ばして、おくるみＢＫを連結できる。さらに、着脱手段６０がファスナーであっても、おくるみＢＫが外れてしまう恐れを有効に防止できる。
【００３１】
このようなファスナーからなる着脱手段６０は、着脱手段６０を拡大した図３に示すように、複数列（図の場合は２列）に設けて、第１及び第２のファスナー６０−１，６０−２とするのがより好ましい。
その際、第１のファスナー６０−１と第２のファスナー６０−２とは、図４のおくるみＢＫの務歯６４と図３の務歯６３とを連結させるためのスライダー６２の移動方向を互いに逆に設定するのがより好ましい。即ち、図４のおくるみＢＫのピンを差し込む方向を変えるため、図３に示すように、第１のファスナー６０−１のボックス５８を右側に、第２のファスナー６０−２のボックス５９を左側にするとよい。
着脱手段６０を以上のように構成することで、複数枚のおくるみＢＫを接続することができ、また、利き手の異なる装着が第１のファスナー６０−１と第２のファスナー６０−２を選択して利用することができる。
【００３２】
さらに、本実施形態では、図２、図４及び図６に示すように、接続したおくるみＢＫを上から押えて保持するようにした保持ベルト７０が設けられている。保持ベルト７０は、着脱手段６０より腰ベルト４０側（図２の下側）に縫合された第１の保持ベルト７０−１と、キャリア本体２０の他方の端部２０Ｄの周辺に縫合された第２の保持ベルト７０−２とからなり、第１の保持ベルト７０−１と第２の保持ベルト７０−２とは、バックル６９により着脱可能とされている。また、保持ベルト７０は、バックル６９により長さ調整も可能である。
この保持ベルト７０は、キャリア本体２０の載置面２０Ａの上を通るため、おくるみＢＫだけではなく、載置された乳児を押えることも可能であり、このため、おくるみＢＫを着脱手段６０に接続せずに、ハーネスとして用いてもよい。
【００３３】
〔子守帯の使用方法〕
次に、上述した実施形態に係る子守帯１０の好ましい使用方法を説明する。
子守帯１０を使用する際は、先ず、図６に示すように腰ベルト４０を装着者の腰回りに巻き、図４に示すように雄バックル４２ｂを雌バックル４２ａに嵌めて、脇側部分４３ｂに連結させる。そして、腰ベルト４０の長さ調整をして、腰に位置決めする（以下、「腰ベルト装着ステップ」という）。
次いで、肩ベルト３０を左右いずれの肩に斜め掛けして、その一方の端部３０Ａを、腰ベルト４０のベルト連結手段５０，５１のいずれか（斜め掛けした肩と左右反対側）に連結する（以下、「肩ベルト装着ステップ」という）。例えば、肩ベルト３０を図５及び図６に示すように左肩に掛ける場合は右側のベルト連結手段５１に連結する。
次いで、乳児をキャリア本体２０に載置する（以下、「乳児載置ステップ」という）。この際、肩ベルト３０を掛ける左右の肩と同じ左右方向に、乳児ＢＹの頭部を置くとよい。そうすると、乳児ＢＹの頭部とは左右反対側にある第２の肩帯部３３（例えばシートベルト素材）が装着者の脇腹に食い込む事態を有効に防止できる。
その後、おくるみＢＫを掛ける場合は、着脱手段６０におくるみＢＫを接続し、おくるみＢＫの上で第１の保持ベルト７０−１と第２の保持ベルト７０−２どうしを接続する。
なお、上記「腰ベルト装着ステップ」の次に、キャリア本体２０をテーブル等の上に置き、そして「乳児載置ステップ」を行った後に「肩ベルト装着ステップ」を行ってもよい。
以上のようにして子守帯１０を装着した後は、図５に示すように、装着者ＭＡは、腕を乳児ＢＹの後頭部に回すようにして、片方の手ＨＤ１でキャリア本体２０を押え、もう一方の手ＨＤ２及び腕で乳児ＢＹの臀部周辺を支持するのが好ましい。
【００３４】
そして、肩ベルト３０を掛ける肩の左右を変えたい場合は、掛け変えたい肩に肩ベルト３０を掛けた後、今まで連結していたものとは別のベルト連結手段５０，５１に連結し直せばよい（以下、「肩ベルト位置変更ステップ」という）。例えば、図５及び図６に示す一点鎖線のように肩ベルト３０を掛ける肩を右側に変えたい場合、右側のベルト連結手段５１から肩ベルト３０の一方の端部３０Ａを外して、それを左側のベルト連結手段５０に連結し直せばよい。
この際、上述のように、乳児ＢＹの頭部は肩ベルト３０を掛ける左右の肩と同じ左右方向に置くのが好ましいため、以下のステップを踏んで子守帯１０を装着するとよい。
即ち、腰ベルト４０は外さずに、乳児を載せたキャリア本体２０をテーブル等の台の上に載せてから、「肩ベルト位置変更ステップ」を行う。次いで、「乳児載置ステップ」を行い、その後、「肩ベルト装着ステップ」を行うとよい。
【００３５】
〔変形例〕
次に、上述した実施形態の変形について図７を用いて説明する。
図７は本発明の実施形態の変形例に係る子守帯の正面図であり、図１に対応している。
この図で図１〜図６の実施形態で用いた符号と同一の符号を付した箇所は共通する構成であるから、重複した説明は省略し、以下、相違点を中心に説明する。
本変形例の子守帯１１は、図１〜図６の子守帯１０と比べて、腰ベルト４０とキャリア本体２０とが着脱可能である点で異なる。
具体的には、腰ベルト４０は、下腹部分４３ａの上端部（固定領域４０Ｃ）において、キャリア本体２０と着脱可能とされている。なお、当該着脱を可能にする手段は、互いを分離する際、容易で、かつ、音の出の少ないファスナー７２が好ましいが、本変形例の着脱手段はこれに限られず、例えばスナップや面ファスナー、或いはこれらの組み合わせであってもよい。
【００３６】
これにより、子守帯１１は、連結していた腰ベルト４０とキャリア本体２０とを分離させることができる。
このため、腰ベルト４０を外さずに、肩ベルト３０の一方の端部３０Ａをベルト連結手段５０，５１から外し、ファスナー７２を外すだけで、あやした後に寝た乳児を、例えばキャリア本体２０の上に寝かしたまま、そっと寝床に置くことができる。
また、例えば乳児がキャリア本体２０におもらしした際、キャリア本体２０のみを分離して洗濯することができる。また、使用していたキャリア本体２０とは別のキャリア本体を腰ベルト４０に付けて使用することもできる。
【００３７】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
例えば、本実施形態では、おくるみを接続するための着脱手段６０は固定領域付近４０Ｃの一箇所のみに配置されているが、本発明はこれに限られず、キャリア本体２０の一方の端部２０Ｃ側との他方の端部２０Ｄ側の双方に設けてもよい。これにより、保持ベルト７０を不要とすることもできる。
また、ベルト連結手段５０，５１はバックルに限られるものではなく、例えば、係止可能なフックや、ネジのように回し止めするコネクタ等であってもよい。
【符号の説明】
【００３８】
１０，１１・・・子守帯、２０・・・キャリア本体、２１・・・乳児載置領域、２２・・・延長部、３０・・・肩ベルト、４０・・・腰ベルト、４０Ｃ・・・固定領域、４３ａ・・・下腹部分（腰ベルト）、４３ｂ・・・脇側部分（腰ベルト）、５０，５１・・・ベルト連結手段、６０・・・おくるみの着脱手段
【図１】
2016002370.tif 000003
【図２】
2016002370.tif 000004
【図３】
2016002370.tif 000005
【図４】
2016002370.tif 000006
【図５】
2016002370.tif 000007
【図６】
2016002370.tif 000008
【図７】
2016002370.tif 000009